(57)【要約】      （修正有）【課題】浴室等の水分の多い場所で使用しても損傷することのない紙芝居を提供する。【解決手段】舞台枠１と、複数枚を１組とし、表面に所要の絵が、裏面に次葉の絵の物語り等の文言が記載された絵シート２とを有する紙芝居であって、前記舞台枠１は、その前面に前記絵シートの絵が現われる窓枠４と、上端が開口され前記複数枚１組の絵シート２を落し込める絵シート装入空間部５とを有せしめたことにある。【選択図】図３
0003131056.tif 000002
【実用新案登録請求の範囲】
【請求項１】
舞台枠と、複数枚を１組とし、表面に所要の絵が、裏面に次葉の絵の物語り等の文言が記載された絵シートとを有する紙芝居であって、前記舞台枠は、その前面に前記絵シートの絵が現われる窓枠と、上端が開口され前記複数枚１組の絵シートを落し込める絵シート装入空間部とを有することを特徴とする耐水性紙芝居。
【請求項２】
前記絵シート装入空間部は、１組の絵シートの総厚の少くとも１．５倍以上とされている請求項１記載の耐水性紙芝居。
【請求項３】
前記舞台枠の背面板に、前記絵シート装入空間部内の絵シートの背面を押圧して前記窓枠の内面に密接させるための手指挿入用窓孔を有している請求項２記載の耐水性紙芝居。
【請求項４】
前記背面板が透明材で構成されている請求項３記載の耐水性紙芝居。
【請求項５】
前記手指挿入用窓孔の上部位置に前記絵シート装入空間部内の絵シートを後傾させたときその上方部背面が寄り懸る横梁部を有している請求項３または４記載の耐水性紙芝居。
【請求項６】
前記横梁部の上部中央部に、前記絵シート装入空間部内に装入されている絵シートの上端をつまみやすくするための切欠部を有している請求項５記載の耐水性紙芝居。
【請求項７】
前記絵シート装入空間部の下部に水抜き穴を有している請求項１〜６のいずれか１項記載の耐水性紙芝居。
【請求項８】
前記水抜き穴は、前記絵シート装入空間部の底面に穿設された孔により構成されている請求項７記載の耐水性紙芝居。
【請求項９】
前記水抜き穴は、前記底面の左右部と中央部との少くとも３箇所に設けられている請求項８記載の耐水性紙芝居。
【請求項１０】
前記舞台枠と絵シートとは、分別廃棄処理を不要とする同一材料で構成されている請求項１〜９のいずれか１項記載の耐水性紙芝居。
【請求項１１】
前記舞台枠と絵シートとは塩化ビニルで構成されている請求項１０記載の耐水性紙芝居。
【請求項１２】
前記絵シートの厚さは０．２〜０．３ｍｍの範囲とされている請求項１〜１１のいずれか１項記載の耐水性紙芝居。
【請求項１３】
前記絵シートはオフセット印刷により印刷されている請求項１〜１２のいずれか１項記載の耐水性紙芝居。
【請求項１４】
前記絵シートのオフセット印刷された面に脱色防止剤が塗布されている請求項１３記載の耐水性紙芝居。
【請求項１５】
前記脱色防止剤としてニスが用いられている請求項１４記載の耐水性紙芝居。
【請求項１６】
前記絵シートの少くとも一面に相互に貼り付きを防止するためのエンボス加工が施されている請求項１〜１５のいずれか１項記載の耐水性紙芝居。
【考案の詳細な説明】
【技術分野】
【０００１】
本考案は浴室やプールサイド等の水気のある所で子供達に扱わせて水濡れしても支障をきたすことのない耐水性紙芝居に関する。
【背景技術】
【０００２】
子供を入浴させる際に、子供を飽きさせないよう、入浴中浴槽内で絵本などを読んで聞かせ、絵を見せながら入浴させることがある。
【０００３】
しかして通常の絵本は紙製であるため、湯気や湯水に触れると紙が湿ってしわになったり、本の形態を損うことになる。
【０００４】
一方、幼児にとっては小児用の紙芝居が喜ばれるが、室内用の紙芝居を浴室に持ち込むと、紙芝居用の絵が印刷された用紙に湯水が振りかかったり、濡れた手で用紙を１枚ずつ入れ替えるとき用紙が濡れて早期に損傷してしまうことになる。
【０００５】
なかには特許文献１にみられるように紙芝居の用紙にラミネート紙を用いて耐水性を持たせたものも提案されているが、このラミネート紙を用いた紙芝居は、そのラミネート紙の端面がラミネートされないため長時間（例えば１昼夜）にわたって浴室に放置された場合、ラミネート紙の端面から水分が紙貫部分に浸入し、用紙自体使用不能な状態に至らしめてしまうという不具合いをもたらす。
【０００６】
また上記文献に記載の紙芝居の構造は、従来の紙芝居の構造を踏襲するもので、用紙を舞台枠の横方向へ引き出すものであり、その用紙を引き出しやすくするための用紙の一側端部につまみを突設し、このつまみを持って横方向へ引き出して最後部へ挿入するという古来からある紙芝居と同様の操作を行いやすくなされたものである。
【０００７】
そのため浴槽などで舞台枠を斜めに持ったりすると、全部の用紙が抜け落ちて散乱してしまうという問題がある。
【０００８】
またラミネート紙が湿ったりすると、ラミネート紙相互が貼り付いてしまい、１枚だけ抜き出して差し替えることができなくなるという問題点がある。
【０００９】
さらに舞台枠と用紙の材質が異るので、廃棄する際に両者を分別しなければならず、その分別に手数を要するという難点もある。
【特許文献１】特開２００５−２９７５２０号公報
【考案の開示】
【考案が解決しようとする課題】
【００１０】
本考案は、浴室やプールサイド等の水分の多い場所で湯水が振りかかって濡れても損傷することがなく、また濡れた手で取り扱っても全く支障のない紙芝居を提供することにある。
【００１１】
また舞台枠を斜めにしても用紙の滑落がなく、入浴中であっても安心して使用することのできる紙芝居を提供することにある。
【００１２】
さらに用紙が水濡れしても１枚ずつの入れ替え操作が容易確実に行うことのできる紙芝居を提供するにある。
【００１３】
そのほか廃棄時の分別の不要化、絵の退色の防止化を可能とする紙芝居を提供するにある。
【課題を解決するための手段】
【００１４】
上記課題を解決する手段として本考案は、舞台枠と、複数枚を１組とし、表面に所要の絵が、裏面に次葉の絵の物語り等の文言が記載された絵シートとを有する紙芝居であって、前記舞台枠は、その前面に前記絵シートの絵が現われる窓枠と、上端が開口され前記複数枚１組の絵シートを落し込める絵シート装入空間部とを有する構成としたことにある。
【００１５】
前記絵シート装入空間部は、１組の絵シートの総厚の少くとも１．５倍以上とすることが望ましい。
【００１６】
前記舞台枠の背面板に、前記絵シート装入空間部内の絵シートの背面を押圧して前記窓枠の内面に密接させるための手指挿入用窓孔を設けることが操作をやりやすくするうえにおいて好ましい。
【００１７】
前記手指挿入用窓孔の上部位置に前記絵シート装入用空間部内の絵シートを後傾させたときその上方部背面が寄り懸る横梁部を設けることが絵シートの差し替えを容易にするうえで好ましい。
【００１８】
また上部横梁部の上部中央部に、前記絵シート装入用空間部内に装入されている絵シートの上端をつまみやすくするための切欠部を設けることが好ましい。
【００１９】
前記絵シート装入空間部の下部に水抜き穴を設けることができる。そしてこの水抜き穴は絵シート装入空間部の底部に穿設する孔によって構成することができる。
【００２０】
前記舞台枠と絵シートとは、分別廃棄処理を不要とする同一材料で構成することが好ましい。その材料としてはポリ塩化ビニルを選択するのがよい。
【００２１】
また前記絵シートの絵はオフセット印刷によることが好ましく、その上に脱色防止剤を塗布することが望ましい。この脱色防止剤としては、ニスを選択することができる。
【００２２】
さらに絵シートが水濡れしたとき相互の貼り付きを防ぐため絵シートの少くとも１面にエンボス加工を施すことが望ましい。
【考案の効果】
【００２３】
本考案によれば、水に濡れても何ら支障をきたすことがないので、入浴中やプールサイド等の水気の多い場所において濡れた手で紙芝居を取り扱って子供達に見せることができる。
【００２４】
本考案における舞台枠の絵シート装入空間部は、その上端が開口され、この開口部から絵シートを出し入れする構成としたので、誤って舞台枠を傾けても絵シートが滑落してしまうことがなく、取り扱いの容易化を図ることができる。
【００２５】
また舞台枠の背面から絵シートの背部を手指で押圧して舞台枠の前面の窓枠に押し付けるための手指挿入用窓孔を設ければ、絵シートの絵を窓枠の内面に密着させて安定状態にして見せることができ、絵を見やすくすることができる。
【００２６】
前記絵シート装入空間部の厚さ方向の内のり寸法を１組の絵シートの総厚の１．５倍以上とすれば、最前位の絵シートを最後部へ移し替える際に絵シートを後傾させた状態で絵シートの差し替え操作ができるので一層操作をしやすくすることができる。
【００２７】
この場合、舞台枠の背部側に絵シートを後傾させたとき寄りかかる横梁部を設ければ、絵シートが必要以上にばらけることがなく、絵シートの前後差し替え時に最前位の絵シートをつまみ出しやすくすることができる。
【００２８】
前記舞台枠の底部に水抜き穴を設ければ、仮に絵シート装入空間部内に水が入っても直ちに排出させることができる。
【００２９】
前記舞台枠と絵シートとを同じ材料、例えばポリ塩化ビニルで構成すれば、廃棄処理時に両者を分別する必要がなく、処理を容易にすることができる。
【００３０】
絵シートの絵をオフセット印刷によって印刷すれば、カラー印刷が容易にでき、絵の内容を一層高度なものとすることができる。そしてその印刷面にニスのような脱色防止剤を塗布すれば、長期にわたり綺麗な色彩を維持することができる。
【００３１】
絵シートの少くとも一面にエンボス加工を施せば、水濡れしても相互に貼り付いて１枚ずつの差し替え操作に支障をきたすことを未然に防止することができる。
【考案を実施するための最良の形態】
【００３２】
図１は本考案による耐水性紙芝居の一実施形態を示す外観斜視図で、在来の紙芝居と同様に舞台枠１と複数枚が１組の絵シート２とで構成されている。
【００３３】
本考案における舞台枠１は、その前面板３に絵シート２の絵２ａが現われる大きさの窓枠４と、その背面に上端が開放されて開口部５ａとされ１組の絵シート２を落し込んで装入し得る絵シート装入空間部５とを有しており、この絵シート装入空間部５の透明な背面板６には該装入空間部５内に装入された絵シート２を背部から手指ａで押圧して（図４（Ａ）示）最前位の絵シート２を前記前面板３の内面に密接させるための手指挿入用窓孔７と、この窓孔７の上部にあって前記絵シート装入用空間部５内に装入された絵シート２を後傾させたとき寄りかかれる横梁部８とが設けられている。
【００３４】
なお、この横梁部８は、左右の側板９、９間に懸け渡すバー状のもので構成してもよい。
【００３５】
前記横梁部８には、絵シート装入空間部５内で最前位の絵シート２を引き出して最後位へ移行させる前後差し替え操作を容易にするための切欠部１０が形成されている。
【００３６】
前記絵シート装入空間部５の底部１１には水抜き穴１２が設けられている。この水抜き穴１２は、底部１１の両端部にスリット状に設けてもよいが、図示のように円孔を穿設して形成するのがよい。また排水を迅速になさしめるため、底部１１の中央部と左右部の複数箇所に設けるのがよい。
【００３７】
前記舞台枠１と絵シート２とは、廃棄処理時における分別作業を不要とするため同一材料で構成されている。その材料としては、例えばポリ塩化ビニルが用いられる。
【００３８】
前記絵シート２は、厚さ０．２〜０．３ｍｍのシート材が用いられ、その表面には物語りの絵２ａがカラー印刷され、裏面には前位の絵シートの説明用文言が記載されており、この絵２ａはオフセット印刷により印刷されている。
【００３９】
そしてこの絵シート２の絵２ａが印刷されている表面にはニス等の脱色防止剤が塗布されている。
【００４０】
また絵シート２の裏面には、水濡れしたとき絵シート相互に貼り付かないようにするためのエンボス加工１３（図５示）が施されている。
【００４１】
次に作用を説明する。
【００４２】
入浴中などに子供に紙芝居を見せようとするときは、見せたい物語の絵シート２の組を舞台枠１の上部に開口する開口部５ａから絵シート装入空間部５内に落し込む。
【００４３】
これにより最前位の絵シート２の絵２ａが舞台枠１の窓枠４内に現われ、最後位に位置する絵シート２の裏面に最前位の絵シート２に画かれている絵２ａに関連した物語の説明文が記載されているので、この説明文を読んで聞かせることになる。
【００４４】
この場合、絵シート２のページの順送りのための前後差し替え操作をやりやすくするため絵シート装入空間部５の内のり寸法（前後幅）を複数枚の絵シート２の総厚より大きく形成してあるので子供に見せている間は図４（Ａ）に示すように手指挿入用窓孔７から指ａを挿入して絵シート２全体を前面板３の内面に押し付けることで絵シート２の絵２ａが窓枠４内に正しく位置して見やすい状態となり、絵シート２の前後差し替え時には絵シート全体を後傾させてその上端背部を横梁部８に寄りかからせることにより図４（Ｂ）のように最前位の絵シート２の上端を指ａでつまみやすくなり、こうして最前位の絵シート２を１枚だけ引き出して最後位に差し込むようにして順送りしながら紙芝居を進行させることができる。
【図面の簡単な説明】
【００４５】
【図１】本考案による耐水性紙芝居の一実施形態を示す外観斜視図。
【図２】図１における舞台枠の斜視図。
【図３】同、背部から見た斜視図。
【図４】紙芝居を使用している状態を示し、（Ａ）は絵シートの絵を見せている状態、（Ｂ）は絵シートの差し替え時の状態の各断面図。
【図５】絵シートの部分拡大断面図。
【符号の説明】
【００４６】
１  舞台枠
２  絵シート
２ａ  絵
３  前面板
４  窓枠
５ａ  開口部
５  絵シート装入空間部
６  背面板
７  窓孔
８  横梁部
９  側板
１０  切欠部
１１  底部
１２  水抜き穴
１３  エンボス加工
【図１】
0003131056.tif 000003
【図２】
0003131056.tif 000004
【図３】
0003131056.tif 000005
【図４】
0003131056.tif 000006
【図５】
0003131056.tif 000007